(57)【要約】【課題】設置されることによって、鳥類を止まらせず、また仮に小枝，草，土，ゴミ等を運んできても載置することを不可能にすることで、設置場所附近に鳥類が飛来し、巣造りを行うのを確実に防止して、フンによる公害等を防ぐ鳥類飛来防止装置を提供することを目的とする。【解決手段】細長状軸部材２に複数のブレード３を付設した、風を受けて軸心廻りに回転する細長状回転体１を、備えている。また、ブレード３が、軸部材２の軸心Ｘ廻りに螺旋状に形成された細長弯曲板状である。【選択図】  図１
2004321124.tif 000002
【特許請求の範囲】
【請求項１】
風を受けて軸心廻りに回転する細長状回転体（１）を備えたことを特徴とする鳥類飛来防止装置。
【請求項２】
細長状軸部材（２）に複数のブレード（３）を付設した、風を受けて軸心廻りに回転する細長状回転体（１）を、備えたことを特徴とする鳥類飛来防止装置。
【請求項３】
ブレード（３）が、軸部材（２）の軸心（Ｘ）廻りに螺旋状に形成された細長弯曲板状である請求項２記載の鳥類飛来防止装置。
【請求項４】
ブレード（３）が、その横断面形状に於て、軸部材（２）の軸心（Ｘ）点を中心とした仮想円形の接線方向に形成されている請求項２又は３記載の鳥類飛来防止装置。
【請求項５】
ブレード（３）の肉厚寸法（ｔ）が、外方向へ次第に薄くなる請求項１，２，３又は４記載の鳥類飛来防止装置。
【発明の詳細な説明】
【０００１】
【発明の属する技術分野】
本発明は、鳥類飛来防止装置に関する。
【０００２】
【従来の技術】
従来の鳥類飛来防止装置は、敷物状のマット上に複数の支柱を林立し、その支柱の先端に鳥類の足を捕らえる係止材を付設したものが知られている（例えば、特許文献１参照）。
【０００３】
【特許文献１】
特開平８−２２８６５６号公報
【０００４】
【発明が解決しようとする課題】
この鳥類飛来防止装置は、鳥類のフンによる公害等を防止したい各種建造物，高架下，電柱上部といった場所に設置され、飛来してきた鳥類の足を捕らえ引き抜き難くすることで、嫌な記憶を植えつけて、飛来を防止するものである。しかし、学習能力を持つ鳥類は、マットの支柱の上に、小枝，草，土，ゴミ等を運んできて載置し、その上に巣を作るため、飛来防止の効果が失われてしまう。
【０００５】
そこで、本発明の鳥類飛来防止装置は、設置されることによって、鳥類を止まらせず、また仮に小枝，草，土，ゴミ等を運んできても載置することを不可能にすることで、設置場所附近に鳥類が飛来し、巣作りを行うのを確実に防止して、フンによる公害等を防ぐことを目的とする。
【０００６】
【課題を解決するための手段】
上述の目的を達成するために、本発明に係る鳥類飛来防止装置は、風を受けて軸心廻りに回転する細長状回転体を備えている。
また、細長状軸部材に複数のブレードを付設した、風を受けて軸心廻りに回転する細長状回転体を、備えている。
【０００７】
また、ブレードが、軸部材の軸心廻りに螺旋状に形成された細長弯曲板状である。
また、ブレードが、その横断面形状に於て、軸部材の軸心点を中心とした仮想円形の接線方向に形成されている。
また、ブレードの肉厚寸法が、外方向へ次第に薄くなる。
【０００８】
【発明の実施の形態】
以下、実施の形態を示す図面に基づき、本発明を詳説する。
【０００９】
図１は本発明の鳥類飛来防止装置の第１の実施の形態を示す正面図で、風を受けて軸心廻りに回転するプラスチック製の細長状回転体１と、回転体１を回転自在に枢支する軸５と、軸５の両端に固着して回転体１を設置場所Ｇに設置する取付部材４と、を備える。設置場所Ｇは、各種建造物廻り，橋等の高架下といった、鳥類のフンによる公害等を防止したい場所である。あるいは、電柱上部のように鳥自体又は巣を作ることによる短絡事故を防止したい場所である。
【００１０】
回転体１は、細長状軸部材２と、軸部材２廻りに付設され風を受けて回転体１を軸心Ｘ廻りに回転させるための複数のブレード３…と、から成る。軸部材２は、細長円筒形状で、軸心Ｘ方向には、軸５を挿嵌する軸孔部６が形成されており、軸方向長さ寸法Ｗ１  は、設置場所に応じて、２０ｃｍ乃至  １００ｃｍに設定されるが、約６０ｃｍが望ましい。
【００１１】
図２，図３に於て、回転体１について具体的に説明すると、回転体１には、４枚のブレード３…が付設されている。ブレード３…は、横断面に於て、軸部材２の軸心Ｘ点を中心とした仮想円形９の接線方向に形成され、かつ周方向に等間隔に離間している。また、各々のブレード３…の先端部が、横断面に於て、時計廻り又は反時計廻りへ同方向に、突出状である。ブレード３…の外接円の直径は、６ｃｍ乃至１２ｃｍに設定される。また、軸部材２の外径寸法Ｄ２  は、  １．５ｃｍ乃至  ２．５ｃｍに設定される。
【００１２】
また、ブレード３は、細長弯曲板状で、軸心Ｘ廻りに螺旋状に形成されている。つまり、ブレード３の横断面形状は、一端３ａ側から、他端３ｂ側へかけて、四分の一回転するように形成されており、側面視に於て、一端３ａと、他端３ｂとは、直交している。図４は図１のＡ−Ａ断面図である。なお、図示省略するが、上述の実施例に限定されず、ブレード３は、一端３ａ側から、他端３ｂ側へ緩やかに、八分の一回転，二分の一回転，一回転等に螺旋状に弯曲して形成されてもよい。
【００１３】
図５は第２の実施の形態を示す側面図で、３枚のブレード３が、軸部材２に、仮想円形９の接線方向に形成され、かつ仮想円形９の周方向に等間隔に離間している。軸部材２は多角柱状でもよく、例えば図６に図示される軸部材２のように、五角柱状としてもよい。この回転体１に於ても、ブレード３は、軸心Ｘ点を中心とした仮想円形９の接線方向に形成されている。
【００１４】
図７は第４の実施の形態を示し、この回転体１のブレード３の肉厚寸法ｔは、外方向へ次第に薄くなるように形成されていて、金型からの取り出しが容易となる。なお、ブレード３の外方辺部３ｃを、鋭利状の辺部とすれば、鳥類はこれを嫌って飛来しなくなる。
【００１５】
図８は第５の実施の形態を示す斜視図である。図１〜図４に於ける回転体１との相違は、ブレード３が、軸方向へ細長帯板形状で、かつ軸部材２の軸心Ｘと平行に形成されている点である。
なお、本発明は上述の図示の実施例に限定されず設計変更自由であって、例えば、軸５を（プラスチック製の）軸部材２に挿入状に固着し、両端に突出した軸５の端部を、取付部材４の軸受孔に回転自在に枢支してもよい。
【００１６】
次に、本発明の鳥類飛来防止装置の作用の説明をする。図９に図示されるように、各種建造物廻り，橋等の高架下，電柱上部といった外部の設置場所Ｇ上に設置する。そして、ブレード３…は風を受けて、回転体１は風向きにより矢印Ｒの方向又は矢印Ｒの逆方向に回転する。
【００１７】
以上のように、本発明の鳥類飛来防止装置は、軸廻りに回転する回転体１を有するので、鳥類は、装置本体の上部に止まることができないので、鳥類は飛来できず、しかも、上部に巣の材料を載置することができないので、設置場所では、巣作りを防止することができる。よって、設置場所付近のフンによる公害を低減できる。
【００１８】
また、回転体１にブレード３を付設すれば、設置場所である外部では風が吹いているので、ブレード３が風を受けて回転し、さらに、ブレード３が、軸部材２の軸心Ｘ廻りに螺旋状に形成された細長弯曲板状であれば、風がどのような方向から吹いてきても、効率よく風を受け、回転する。さらに、ブレード３が、その横断面形状に於て、軸心Ｘ点を中心とした仮想円形の接線方向に形成されれば、一層効率よく、多方向からの風を受けることができる。このように、外部で設置され、風を受けて回転体１が回転するため、モータを使用しなくても、常時回転体１を回転させることができ、故障する虞れもなく、電力等のコストも掛からない。
【００１９】
また、仮に全くの無風状態であっても、鳥類が飛来してきてブレード３上に止まると、ブレード３は鳥類の重量を受けて回転体１が回転するので、鳥類は止まることができない。また、図７に図示される回転体１のように、ブレード３の外方辺部３ｃを横断面鋭利状に形成すれば、鳥類に対して恐怖心を与えられるので、一層飛来防止効果が増大する。
【００２０】
【発明の効果】
本発明は、上述の構成により次のような著大な効果を奏する。
【００２１】
（請求項１，２によれば、）回転体１が回転するため、鳥類は、装置本体の上部に止まることができず、設置場所には、鳥類の飛来を防ぎ、巣作りを防止することができる。よって、設置場所付近のフンによる公害を低減できる。また、外部で設置され、風を受けて回転体１が回転するため、モータを使用しなくても、常時回転体１を回転させることができ、故障する虞れもなく、電力等のコストも掛からない。
【００２２】
（請求項２によれば、）風を受けるためのブレード３が付設されるので、微弱な風しか吹いていなくても、回転体１を回転させることができる。また、仮に無風状態であっても、鳥類が飛来してきてブレード３上に止まると、ブレード３は鳥類の重量を受けて回転体１が回転するので、鳥類は止まったり、巣作りの材料を載置することができない。
【００２３】
（請求項３，４によれば、）風がどのような方向から吹いてきても、ブレード３は一層効率よく風を受けることができ、回転体１は回転し続けることができる。
（請求項４によれば、）ブレード３上に鳥類が止まると、（軸心に対して偏心しているので）ブレード３付き回転体１は回転しやすく、鳥類の重量で回転して好ましい。
（請求項５によれば、）プラスチック成型時の金型からの抜き出しが容易であり、軽量化を図り得る。
【図面の簡単な説明】
【図１】本発明の鳥類飛来防止装置の第１の実施の形態を示す正面図である。
【図２】回転体の斜視図である。
【図３】回転体の側面図である。
【図４】図１のＡ−Ａ断面図である。
【図５】第２の実施の形態を示す側面図である。
【図６】第３の実施の形態を示す側面図である。
【図７】第４の実施の形態を示す側面図である。
【図８】第５の実施の形態を示す斜視図である。
【図９】回転体に鳥類が飛来してきた状態を示す説明用正面図である。
【符号の説明】
１  回転体
２  軸部材
３  ブレード
ｔ  肉厚寸法
Ｘ  軸心
【図１】
2004321124.tif 000003
【図２】
2004321124.tif 000004
【図３】
2004321124.tif 000005
【図４】
2004321124.tif 000006
【図５】
2004321124.tif 000007
【図６】
2004321124.tif 000008
【図７】
2004321124.tif 000009
【図８】
2004321124.tif 000010
【図９】
2004321124.tif 000011